(57)【要約】  本発明は、カバー本体（１）を上面部（２）、下面部（３）、側面部（４）を弾性体で一体形成する。また、上面部（２）の一方側には表示部目視用開口部（１２）を設け、上面部（２）の表示部目視用開口部（１２）を設けた側に対する他方側の側面部（４）には、センサ挿入用開口部（１３）を設ける。そして、このセンサ挿入用開口部（１３）には、このセンサ挿入用開口部（１３）の外周を覆うと共にこのセンサ挿入用開口部（１３）の外方に突出した突出部（１４）を設ける。さらに、表示部目視用開口部（１２）とセンサ挿入用開口部（１３）間の上面部（２）に操作部（１５）を設け、この操作部（１５）を下面部（３）および側面部（４）よりも厚みを薄くする。
2014013681.tif 000002
【特許請求の範囲】
【請求項１】
上面部と、前記上面部の下方に所定間隔をおいて対向させた下面部と、前記下面部と前記上面部の間の外周側面を覆う側面部とを備え、前記上面部、前記下面部、および前記側面部を弾性体で一体形成するとともに、前記上面部の一方側には表示部目視用開口部を設け、前記上面部の前記表示部目視用開口部を設けた側に対する他方側の前記側面部には、センサ挿入用開口部を設け、前記センサ挿入用開口部には、前記センサ挿入用開口部の外周を覆うと共に前記センサ挿入用開口部の外方に突出した筒状の突出部を設け、前記表示部目視用開口部と前記センサ挿入用開口部の間の前記上面部に操作部を設け、前記操作部の厚みを前記下面部および前記側面部の厚みよりも薄くした生体情報測定装置用保護カバー。
【請求項２】
前記上面部と前記下面部と前記側面部をシリコンゴムで一体成形した請求項１に記載の生体情報測定装置用保護カバー。
【請求項３】
前記操作部は、前記上面部の他の部分よりも上方に突出させた請求項１に記載の生体情報測定装置用保護カバー。
【請求項４】
前記突出部を、前記側面部と一体成形した請求項１に記載の生体情報測定装置用保護カバー。
【請求項５】
前記突出部は、前記センサ挿入用開口部へのセンサの挿入方向とは反対方向に突出させた請求項１に記載の生体情報測定装置用保護カバー。
【請求項６】
前記突出部は角筒状とし、その先端側開口部を前記センサ挿入用開口部よりも大きく形成した請求項５に記載の生体情報測定装置用保護カバー。
【請求項７】
前記突出部の先端側開口部から前記センサ挿入用開口部側に向けて傾斜面を設けた請求項６に記載の生体情報測定装置用保護カバー。
【請求項８】
前記表示部目視用開口部の外周には、生体情報測定装置の表示部に合わせる表示部位置合わせ用マークを設けた請求項１に記載の生体情報測定装置用保護カバー。
【請求項９】
前記突出部には、センサの横幅に合致するセンサ位置合わせ用マークを設けた請求項１に記載の生体情報測定装置用保護カバー。
【請求項１０】
前記上面部、前記下面部、および前記側面部の色を白色系とした請求項１に記載の生体情報測定装置用保護カバー。
【請求項１１】
前記側面部の、前記センサ挿入用開口部と反対側の端部に、吊下用リングを設けた請求項１に記載の生体情報測定装置用保護カバー。
【請求項１２】
請求項１から請求項１１のいずれか一項に記載の生体情報測定装置用保護カバーを装着し、前記生体情報測定装置用保護カバーの表示部目視用開口部から挿入した本体ケースと、前記本体ケースの上面で前記表示部目視用開口部に対応する部分に設けた表示部と、前記本体ケースの側面で前記センサ挿入用開口部に対応する部分に設けたセンサ装着部と、前記本体ケースの上面で前記操作部に対応する部分に設けた操作ボタンと、を備えた生体情報測定装置。
【請求項１３】
前記操作ボタンは、前記本体の上面よりも上方に突出した請求項１２に記載の生体情報測定装置。
【請求項１４】
前記操作ボタンを複数個設けた請求項１３に記載の生体情報測定装置。
【発明の詳細な説明】
【技術分野】
【０００１】
本発明は、たとえば、血液中から血糖値などの生体情報を測定する生体情報測定装置に使用される生体情報測定装置用保護カバーおよびこの生体情報測定装置用保護カバーを装着した生体情報測定装置に関するものである。
【背景技術】
【０００２】
生体情報測定装置は、本体ケースの上面に表示部や操作部を設け、側面にはセンサ装着部を設けている。本体ケースは上下に分割され、その内部に各種部品を収納させた後に上下に一体化することによって構成されている。【０００３】
そして、このような本体ケースの落下による損傷を防止するために、本体ケースの上面と側面の一部を覆うカバーを本体ケースに被せたものが提案されている（例えば、特許文献１参照）。【０００４】
しかしながら、近年、このような生体情報測定装置においては、感染に対するリスクの低減が求められているが、この従来提案されているカバーでは感染リスクを低減することができない。【０００５】
つまり、本体ケースは上下に分割されたものであるが、この上下の分割部分をカバーは覆っていない。そのため、この上下の接合部分に血液が付着してしまうことがある。そして、このように上下の接合部分に付着した血液は、洗浄綿などで清浄化することが難しく、この結果として、この血液が付着した上下の接合部分からの感染リスクが発生することとなっていた。
【先行技術文献】
【特許文献】
【０００６】
【特許文献１】特開２００４−３１３２６９号公報
【発明の概要】
【０００７】
本発明の生体情報測定装置用保護カバーは、上面部と、この上面部の下方に所定間隔をおいて対向させた下面部と、この下面部および上面部の間の外周側面を覆う側面部を備える。また、上面部、下面部、および側面部は弾性体で一体形成するとともに、この上面部の一方側には表示部目視用開口部を設け、上面部の表示部目視用開口部を設けた側に対する他方側の側面部には、センサ挿入用開口部を設ける。そして、このセンサ挿入用開口部には、このセンサ挿入用開口部の外周を覆うと共にこのセンサ挿入用開口部の外方に突出した筒状の突出部を設ける。さらに、表示部目視用開口部とセンサ挿入用開口部の間の上面部に操作部を設け、この操作部の厚みを下面部および側面部の厚みよりも薄くする。
【図面の簡単な説明】
【０００８】
【図１】図１は、本発明の第１の実施の形態における生体情報測定装置用保護カバーの斜視図である。
【図２】図２は、本発明の第１の実施の形態における生体情報測定装置用保護カバーを装着する生体情報測定装置の斜視図である。
【図３】図３は、本発明の第１の実施の形態における生体情報測定装置用保護カバーの要部断面図である。
【図４】図４は、本発明の第１の実施の形態における生体情報測定装置用保護カバーの要部正面図である。
【図５】図５は、本発明の第２の実施の形態における生体情報測定装置用保護カバーの斜視図である。
【図６】図６は、本発明の第３の実施の形態における生体情報測定装置用保護カバーの斜視図である。
【発明を実施するための形態】
【０００９】
以下、本発明の実施の形態について、図面を用いて説明する。
【００１０】
なお、本発明は、これから説明する実施の形態によって限定されるものではない。
【００１１】
（第１の実施の形態）
図１は、本発明の第１の実施の形態における生体情報測定装置用保護カバーを示す。ほぼ直方体形状のカバー本体１は、上面部２と、この上面部２の下方に所定間隔をおいて対向させた下面部３と、この上面部２と下面部３の間の外周側面を覆う側面部４とを備えている。生体情報測定装置用保護カバーを構成するこのカバー本体１は、その内部に、図２に示す血糖値の測定器に代表される生体情報測定装置５を、挿入して使用する。
【００１２】
図２に示すように、生体情報測定装置５は、ほぼ直方体形状の本体ケース６を有し、その上面の一方側には表示部７が設けられ、その上面の表示部７を設けた側に対する他方側の側面にはセンサ装着部８が設けられている。さらに、表示部７とセンサ装着部８の間の本体ケース６の上面には、複数個の操作ボタン９を、この本体ケース６の上面よりも上方に突出させて設けている。そして、血糖値を測定するときには、このセンサ装着部８に、長板形状の血糖値センサ１０の接続端子１１を装着するようになっている。
【００１３】
図１に戻って、カバー本体１の説明を続ける。
【００１４】
カバー本体１は、その上面部２の一方側には、生体情報測定装置５の表示部７に対応させて、表示部目視用開口部１２を設けている。この表示部目視用開口部１２は、生体情報測定装置５の表示部７とほぼ同じ大きさに開口させてあり、生体情報測定装置５をカバー本体１に挿入したときに、生体情報測定装置５の表示部７の視認性を妨げない。
【００１５】
このため、この図１からもわかるように、表示部目視用開口部１２は上面部２の一方側端部近傍まで開口し、しかも表示部目視用開口部１２は上面部２の他方側を除いて、他の２辺についても上面部２の端部近傍にまで大きく開口している。さらにカバー本体１は、その下面部３で図２の生体情報測定装置５の下面全体を覆うように形成している。
【００１６】
なお、このカバー本体１は、上面部２、下面部３、側面部４を弾性体の一例であるシリコンゴムで一体成形することで、表示部目視用開口部１２が開口した袋状に形成している。
【００１７】
カバー本体１において、上面部２の表示部目視用開口部１２を設けた側に対する他方側の側面部４には、そのほぼ中央部に生体情報測定装置５のセンサ装着部８に対応させて、センサ挿入用開口部１３を設けている。このセンサ挿入用開口部１３は、生体情報測定装置５のセンサ装着部８よりも若干大きく開口してあり、血糖値センサ１０をセンサ装着部８に装着するときに、その装着を妨げない。
【００１８】
本実施の形態において、センサ挿入用開口部１３には、このセンサ挿入用開口部１３の外周を覆うと共に、このセンサ挿入用開口部１３の外方に突出した角筒状の突出部１４を設けている。この突出部１４は、センサ挿入用開口部１３に挿入される血糖値センサ１０の挿入方向Ａに対し、この挿入方向Ａとは反対方向に突出させている。
【００１９】
また、図２に示すように、生体情報測定装置５は、中部から他方側にかけての側面をセンサ装着部８に向けて絞り込んで形成、すなわち、センサ装着部８側を若干細くし形成してあり、手のひら内で把持しやすくしている。そして、この生体情報測定装置５の外形に対応させて、カバー本体１では、図１に示すように、中部から他方側にかけての側面をセンサ挿入用開口部１３に向けて絞りこんで形成している。
【００２０】
さらに、カバー本体１には、表示部目視用開口部１２とセンサ挿入用開口部１３間の上面部２に、生体情報測定装置５の複数個の操作ボタン９に対応させた操作部１５を、上面部２から上方に突出させて設けている。この操作部１５を含む上面部２は、下面部３、側面部４よりも厚みを薄くしており、カバー本体１の上面部２を介して生体情報測定装置５の操作ボタン９を操作することができるようになっている。
【００２１】
なおカバー本体１は、生体情報測定装置５をカバー本体１に表示部目視用開口部１２から挿入した時に、その上面部２、下面部３および側面部４が、生体情報測定装置５の上面、下面および外周側面に密着するように形成している。
【００２２】
以上の構成において、以下、本実施の形態における生体情報測定装置用保護カバーの使用方法について説明する。
【００２３】
まず、袋状に形成したカバー本体１に対して、その上面部２の一方側に設けた表示部目視用開口部１２に、センサ装着部８側の端部から生体情報測定装置５を差し込む。この時、生体情報測定装置５は、上述したように、中部から他方側にかけての側面をセンサ装着部８に向けて絞り込んで形成しているため、大きく開口した表示部目視用開口部１２に容易に差し込むことができる。
【００２４】
この状態から、他方側のセンサ挿入用開口部１３に向けて、生体情報測定装置５をカバー本体１内部に挿入していく。カバー本体１は、上述のように、弾性体で形成されているので、生体情報測定装置５を表示部目視用開口部１２からその内部に挿入する時には、弾性を利用し、表示部目視用開口部１２を押し広げながらこの生体情報測定装置５をカバー本体１内に挿入することとなる。そして挿入後、カバー本体１は、その弾性復帰により、生体情報測定装置５の外面に密着した状態となる。
【００２５】
生体情報測定装置５をカバー本体１内に挿入する時には、生体情報測定装置５の挿入により、カバー本体１内部の空気が圧縮されていく。この時、カバー本体１には、その側面部４で上面部２の他方側部分にセンサ挿入用開口部１３を設けているので、この開口部から空気抜きをすることができ、生体情報測定装置５をカバー本体１内に容易に挿入することができる。
【００２６】
さらに、生体情報測定装置５をカバー本体１内部に挿入し、生体情報測定装置５のセンサ装着部８をカバー本体１のセンサ挿入用開口部１３に一致させ、その後、生体情報測定装置５全体をカバー本体１に押し込むと挿入作業が完了する。すると、袋状のカバー本体１は、そのセンサ挿入用開口部１３が生体情報測定装置５のセンサ装着部８に対向した状態で、上面部２が生体情報測定装置５の上面側で表示部７を除く全面を覆い、下面部３が生体情報測定装置５の下面の全面を覆い、側面部４が生体情報測定装置５の側面全面を覆った状態となる。
【００２７】
その後、使用者は血糖値の測定を開始する。
【００２８】
先ず使用者は、図２の血糖値センサ１０を、カバー本体１のセンサ挿入用開口部１３を介して、生体情報測定装置５のセンサ装着部８に装着する。次に、使用者が、たとえば人差し指を穿刺して血液を表出させ、この血液を血糖値センサ１０の点着部１６に点着すれば、生体情報測定装置５によって、その時の血糖値が測定され表示部７に表示される。なお使用者は、カバー本体１の操作部１５を介して、生体情報測定装置５の操作ボタン９を操作する。
【００２９】
この測定時、および生体情報測定装置５の操作時において、血糖値センサ１０の点着部１６に点着した血液の一部や、穿刺により表出した上記人差し指の血液の一部が誤って飛び散り、生体情報測定装置５の拭き取りにくい部分に付着してしまうことがあった。
【００３０】
生体情報測定装置５の本体ケース６は、図２に示すように、上下に分割された上ケース６ａと下ケース６ｂにより構成されており、またこの下ケース６ｂは、電池カバー６ｃが分割して設けられている。これら分割の接合部分に、いったん血液が付着してしまうと、洗浄綿などで清浄化することが難しく（拭き取ることが難しく）、この結果として、この血液が付着した接合部分からの感染リスクが発生することとなっていた。
【００３１】
しかしながら、本実施の形態の生体情報測定装置用保護カバー内に生体情報測定装置５を挿入すれば、生体情報測定装置５の上下面および生体情報測定装置５の外周面を、カバー本体１の上面部２、下面部３および側面部４が密着状態で覆うので、生体情報測定装置５の全ての接合部分がカバー本体１によって露出しなくなる。したがって、生体情報測定装置５の接合部分に血液が浸入することはなく、その結果として、生体情報測定装置５に付着する血液による感染に対するリスクを低減することができる。
【００３２】
なお、生体情報測定装置５の表示部７部分は平面になっているので、ここに血液が付着したとしても簡単に拭き取ることができる。また、カバー本体１は、生体情報測定装置５を密着状態で覆うので、血液が表示部目視用開口部１２から接合部分にまで到達してしまうことはない。
【００３３】
その結果として、生体情報測定装置５に付着する血液による感染に対するリスクを大幅に低減することができる。
【００３４】
さらに、本実施の形態においては、カバー本体１のセンサ挿入用開口部１３に、このセンサ挿入用開口部１３の外周を覆うと共に、このセンサ挿入用開口部１３の外方に突出した角筒状の突出部１４を設けているので、感染に対するリスクを低減することができる。
【００３５】
すなわち、カバー本体１のセンサ挿入用開口部１３の外周には、突出部１４が設けられ、この突出部１４は、上述のごとく、センサ挿入用開口部１３に挿入される血糖値センサ１０の挿入方向Ａに対し、反対方向に突出させている。このため、突出部１４内方側のセンサ挿入用開口部１３は挿入方向Ａ側からのみ視認できる状態となる。
【００３６】
したがって、使用者は、血糖値センサ１０を、挿入方向Ａ側からセンサ挿入用開口部１３を介して生体情報測定装置５のセンサ装着部８に挿入することができる。
【００３７】
一方、センサ挿入用開口部１３の外方に突出した角筒状の突出部１４を設けているので、使用者が、たとえば人差し指を挿入方向Ａ以外の方向からセンサ挿入用開口部１３に近づけてしまった時にも、その指はカバー本体１の突出部１４に触れるだけで、生体情報測定装置５のセンサ装着部８には近づけることができない。そのため、拭き掃除がしにくい生体情報測定装置５のセンサ装着部８に、使用者の指が触れることは無い。
【００３８】
また、測定者が、指を挿入方向Ａ側からセンサ挿入用開口部１３に近づけてしまった時にも、突出部１４は挿入方向Ａとは反対方向に角筒状に突出させているので、指が、この上下に狭い突出部１４に挿入されることはない。そのため、拭き掃除がしにくい生体情報測定装置５のセンサ装着部８に、使用者の指が触れることはない。
【００３９】
その結果として、感染に対するリスクを低減することができる。
【００４０】
また、生体情報測定装置５のセンサ装着部８の開口部は血液や埃が生体情報測定装置５内へ進入するのを防止するため小さく形成されており、これは、使用者が血糖値センサ１０を挿入する場所を認識しづらいものとしている。
【００４１】
そこで本実施の形態の突出部１４は、図３に示すように、先端側開口部１３ａを奥側のセンサ挿入用開口部１３よりも大きく形成している。つまり、生体情報測定装置５のセンサ装着部８、センサ挿入用開口部１３、先端側開口部１３ａの順に大きく形成した。
【００４２】
このため、使用者は、カバー本体１から突出させた突出部１４を見て血糖値センサ１０を挿入する部位を認識するとともに、その突出部１４の先端側で大きく開口した先端側開口部１３ａにより血糖値センサ１０を挿入する場所を認識することができる。その結果として、感染に対するリスクを低減しつつ、使い勝手のよいものとなる。
【００４３】
また、図３、図４に示すように、先端側開口部１３ａから奥側のセンサ挿入用開口部１３にかけて傾斜した案内面１４ａを、突出部１４の内側の上面と両側面の３面に設けている。この構成により、案内面１４ａに案内された血糖値センサ１０を、生体情報測定装置５のセンサ装着部８に容易に装着することができる。
【００４４】
さらに、角筒状の突出部１４は、センサ挿入用開口部１３の外周全体を覆うため、センサ挿入用開口部１３周囲の強度が増した状態となり、血糖値センサ１０の挿入時に、このセンサ挿入用開口部１３が血糖値センサ１０によって切り裂かれることはない。
【００４５】
また、センサ挿入用開口部１３に角筒状の突出部１４を設ければ、センサ挿入用開口部１３周囲の強度が増すため、生体情報測定装置５を表示部目視用開口部１２から挿入するときに、このセンサ挿入用開口部１３が引き裂かれてしまうことも防止できる。
【００４６】
つまり、弾性体から成るカバー本体１に、貫通孔であるセンサ挿入用開口部１３を設けただけの状態とすると、上記生体情報測定装置５の挿入時にこのセンサ挿入用開口部１３が押し広げて切り裂かれてしまう惧れがある。しかし、本実施の形態のように、ここに筒状の突出部１４を設ければ、センサ挿入用開口部１３が切り裂かれるのを防止できる。
【００４７】
なお、カバー本体１が汚れた場合には、その内部に生体情報測定装置５が収納された状態で、このカバー本体１の外周面を、たとえば洗浄綿などで清浄化することとしたが、カバー本体１を生体情報測定装置５から取り外し、この取り外し状態でカバー本体１を洗浄してもよい。
【００４８】
以上説明したように、本実施の形態においては、生体情報測定装置５の本体ケース６でセンサ装着部８に対応する部分には、生体情報測定装置用保護カバーの突出部１４が設けられた状態となる。このため、指などが生体情報測定装置５のセンサ装着部８に触れにくくなり、その結果として、感染に対するリスクを低減することができる。
【００４９】
さらに本実施の形態において、カバー本体１は、上面部２、下面部３および側面部４をシリコンゴム（弾性体の一例）で一体成形するとともに、図１の操作部１５を含む上面部２の厚みを下面部３および側面部４の厚みよりも薄くしている。具体的には、上面部２の厚さを１ｍｍとし、下面部３および側面部４の厚さを２ｍｍとしている。操作ボタン９を覆う上面部２の厚みを薄くしたことにより、操作ボタン９の操作を容易に行うことができる。
【００５０】
すなわち、カバー本体１において、上面部２は、その厚みを、下面部３および側面部４の厚みよりも、上面部２の全面にわたって一様に薄くしたので、操作部１５およびその周辺部が透けた状態となる。このため、操作部１５に対応する生体情報測定装置５の操作ボタン９、およびこの操作ボタン９に印刷された表示、および操作ボタン９の周辺部に印刷された表示を使用者が認識することができる。
【００５１】
さらに、操作部１５が薄く、しかも柔らかなものであるから、複数の操作ボタン９が近接した状態でも、誤って隣の操作ボタン９が操作されることがない。その結果として、感染に対するリスクを低減しつつ操作性の良いものとなる。
【００５２】
また、使用者がカバー本体１に挿入した生体情報測定装置５を誤って落としてしまった時においても、厚く形成した（たとえば２ｍｍで形成した）下面部３、側面部４が効果的に衝撃を吸収するので、生体情報測定装置５を保護することができる。
【００５３】
なお生体情報測定装置５の表示部７は、その周辺部をカバー本体１の上面部２が１ｍｍの厚さで保護している。このため、生体情報測定装置５の表示部７が落下先の面に直接触れることはなく、表示部７はカバー本体１により保護される。
【００５４】
さらに本実施の形態においては、カバー本体１の上面部２、下面部３および側面部４の色を白色（あるいは白色系）にしている。このため、生体情報測定装置５の使用時に、使用者の血液が誤って飛び散りカバー本体１が汚れた時においても、使用者は、白色系のカバー本体１が汚れたことを容易に認識することができる。
【００５５】
なお、最も血液が付着しやすいセンサ挿入用開口部１３近傍においては、側面部４の厚さが十分に厚いので、側面部４が透けて生体情報測定装置５が見えることはなく、センサ挿入用開口部１３近傍は明るい白色となる。このため、使用者は、外周面が汚れたことを容易に認識することができる。
【００５６】
さらに本実施の形態において、カバー本体１の外周面には、開口部としてセンサ挿入用開口部１３のみを設けた状態としている。このため、生体情報測定装置５の静電気に対する耐性を向上させることができる。
【００５７】
すなわち、静電気が、図２に示す血糖値センサ１０を介して生体情報測定装置５に伝わると、生体情報測定装置５の上ケース６ａ、下ケース６ｂ、電池カバー６ｃの分割接合部分を介して生体情報測定装置５内に到達し、内部の電子部品を損傷させてしまうことがある。
【００５８】
しかしながら、本実施の形態においては、生体情報測定装置５を、絶縁性物質で構成したカバー本体１に挿入したので、静電気は、このカバー本体１の表面を伝った後に、上記生体情報測定装置５の上ケース６ａ、下ケース６ｂの分割部や、電池カバー６ｃの分割接合部分に到達することとなり、この場合、静電気の流れる縁面距離が長くなるので、結論として、静電気が生体情報測定装置５内に到達し、内部の電子部品を損傷させることはない。
【００５９】
その結果として、生体情報測定装置５の静電気に対する耐性を向上させることができる。
【００６０】
以上説明したように、本実施の形態における生体情報測定装置用保護カバーは、カバー本体１の上面部２で表示部目視用開口部１２とセンサ挿入用開口部１３間に操作部１５を設けている。しかも、この操作部１５の厚みを下面部３、側面部４の厚みよりも薄くし、操作部１５を透ける状態とした。この構成により、使用者は、操作部１５に対応する生体情報測定装置５の操作ボタン９を認識することができ、誤って隣接した操作ボタン９を操作してしまうことがなくなる。その結果として、感染に対するリスクを低減しつつ操作性の良いものとなる。
【００６１】
（第２の実施の形態）
以下本発明の第２の実施の形態における生体情報測定装置用保護カバーについて説明する。なお、上記第１の実施の形態における生体情報測定装置用保護カバーと同一の構成要素については、同じ符号を付して説明を省略する。
【００６２】
本発明の第２の実施の形態における生体情報測定装置用保護カバーは、上記第１の実施の形態における生体情報測定装置用保護カバーのカバー本体１に対し、図５に示すように、その側面部４のセンサ挿入用開口部１３と反対側の端部に、吊下用リング１７を設けた。この構成により、使用者は、カバー本体１を、洗浄液で洗浄した後に、吊下用リング１７を用いて、例えば乾燥機のフックにぶら下げることができるので使い勝手が良い。
【００６３】
なお、吊下用リング１７を設けた側面部４は、上述のごとく、上面部２よりも厚くしているので、吊り下げのための十分な強度を持っている。
【００６４】
また、この図５に示すように、カバー本体１をぶら下げると、カバー本体１の内部に残った洗浄液の液滴は、カバー本体１の内面を伝って自然落下し、その先に設けたセンサ挿入用開口部１３を介してカバー本体１の外へと排出されるので、この点からも使い勝手が良い。
【００６５】
（第３の実施の形態）
以下本発明の第３の実施の形態における生体情報測定装置用保護カバーについて説明する。なお、上記第１および第２の実施の形態における生体情報測定装置用保護カバーと同一の構成要素については、同じ符号を付して説明を省略する。
【００６６】
本発明の第３の実施の形態における生体情報測定装置用保護カバーは、図６に示すように、カバー本体１の上面部２で、生体情報測定装置５の表示部７の外周に合致する表示部位置合わせ用マーク１８を設けたものである。なお、この表示部位置合わせ用マーク１８は、表示部目視用開口部１２の近傍から、センサ挿入用開口部１３側に伸びた突起となっている。
【００６７】
つまり、カバー本体１は、上述のごとく、弾性を有する柔らかいもので形成されているので、生体情報測定装置５を装着した時に、生体情報測定装置５の外周に合わせてわずかながらの弾性変形をおこす惧れがある。すると、カバー本体１のセンサ挿入用開口部１３と生体情報測定装置５のセンサ装着部８もずれた状態になる惧れがあるので、カバー本体１と生体情報測定装置５の位置関係を適切に合わせる必要がある。
【００６８】
そこで、本実施の形態においては、図６に示すように、カバー本体１の上面部２で生体情報測定装置５の表示部７の左右に合致する表示部位置合わせ用マーク１８を設けたものである。つまり、カバー本体１内に生体情報測定装置５を装着した状態で生体情報測定装置５の表示部７の左右を、この表示部位置合わせ用マーク１８に合わせれば、カバー本体１と生体情報測定装置５の位置関係は適切なものとなる。その結果として、カバー本体１のセンサ挿入用開口部１３と生体情報測定装置５のセンサ装着部８も合致した状態となり、センサ挿入用開口部１３を介して血糖値センサ１０をセンサ装着部８にスムーズに挿入することができるようになる。
【００６９】
また、この図６に示すように、センサ挿入用開口部１３の外周面（上面部２側）に血糖値センサ１０の横幅に合致するセンサ位置合わせ用マーク１９を設ければ、たとえ図２に示すセンサ装着部８が見にくくても、このセンサ位置合わせ用マーク１９に沿って血糖値センサ１０を挿入すればセンサ装着部８に適切に装着することができる。
【００７０】
なお、このセンサ位置合わせ用マーク１９は、センサ挿入用開口部１３の入り口側から奥側（センサ装着部８側）に向けて伸びた突起となっているので、この突起により筒状の突出部１４の強度を高めることにも貢献している。
【００７１】
また、このセンサ位置合わせ用マーク１９はセンサ挿入用開口部１３の外周面（上面部２側）に設けたが、センサ挿入用開口部１３の内周面に設けてもよい。
【００７２】
以上説明したように、本発明における生体情報測定装置用保護カバーが、生体情報測定装置の本体ケースの上下面だけでなく外周側面も覆うので、本体ケースの上下面の接合部分に血液が浸入することはない。このため、本体ケースに付着する血液による感染に対するリスクを低減することができる。
【００７３】
また、本発明における生体情報測定装置用保護カバーは、生体情報測定装置のセンサ装着部に対応する部分に、突出部を設けていることにより、指などが生体情報測定装置のセンサ装着部に触れにくくなり、その結果として、感染に対するリスクを低減することができる。
【００７４】
さらに、本発明における生体情報測定装置用保護カバーは、操作部の厚みを下面部および側面部の厚みよりも薄くしたことにより、この操作部が透けた状態となる。したがって、使用者は、操作部に対応する生体情報測定装置の操作ボタンを認識することができ、誤って隣接した操作ボタンを操作してしまうことがなく、操作性の良いものとなる。
【産業上の利用可能性】
【００７５】
以上のように本発明の生体情報測定装置用保護カバーは、たとえば、血液中から血糖値などの生体情報を測定する生体情報測定装置に使用される生体情報測定装置用保護カバーと、これを装着した生体情報測定装置として、広く活用が期待される。
【符号の説明】
【００７６】
１  カバー本体
２  上面部
３  下面部
４  側面部
５  生体情報測定装置
６  本体ケース
７  表示部
８  センサ装着部
９  操作ボタン
１０  血糖値センサ
１１  接続端子
１２  表示部目視用開口部
１３  センサ挿入用開口部
１３ａ  先端側開口部
１４  突出部
１４ａ  案内面
１５  操作部
１６  点着部
１７  吊下用リング
１８  表示部位置合わせ用マーク
１９  センサ位置合わせ用マーク
【図１】
2014013681.tif 000003
【図２】
2014013681.tif 000004
【図３】
2014013681.tif 000005
【図４】
2014013681.tif 000006
【図５】
2014013681.tif 000007
【図６】
2014013681.tif 000008
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
上面部と、
前記上面部の下方に所定間隔をおいて対向させた下面部と、
前記下面部と前記上面部の間の外周側面を覆う側面部とを備え、
前記上面部、前記下面部、および前記側面部を弾性体で一体形成するとともに、
前記上面部の一方側には表示部目視用開口部を設け、
前記上面部の前記表示部目視用開口部を設けた側に対する他方側の前記側面部には、センサ挿入用開口部を設け、
前記センサ挿入用開口部には、前記センサ挿入用開口部の外周を覆うと共に前記センサ挿入用開口部の外方に突出した筒状の突出部を設けた、
生体情報測定装置用保護カバー。
【請求項２】
前記表示部目視用開口部と前記センサ挿入用開口部の間の前記上面部に操作部を設け、前記操作部の厚みを前記下面部および前記側面部の厚みよりも薄くした、
請求項１に記載の生体情報測定装置用保護カバー。
【請求項３】
前記上面部と前記下面部と前記側面部をシリコンゴムで一体成形した、
請求項１または２に記載の生体情報測定装置用保護カバー。
【請求項４】
前記操作部は、前記上面部の他の部分よりも上方に突出させた、
請求項２または３に記載の生体情報測定装置用保護カバー。
【請求項５】
前記突出部を、前記側面部と一体成形した、
請求項１から４のいずれか一つに記載の生体情報測定装置用保護カバー。
【請求項６】
前記突出部は、前記センサ挿入用開口部へのセンサの挿入方向とは反対方向に突出させた、
請求項１から５のいずれか一つに記載の生体情報測定装置用保護カバー。
【請求項７】
前記突出部は角筒状とし、その先端側開口部を前記センサ挿入用開口部よりも大きく形成した、
請求項６に記載の生体情報測定装置用保護カバー。
【請求項８】
前記突出部の先端側開口部から前記センサ挿入用開口部側に向けて傾斜面を設けた、
請求項６または７に記載の生体情報測定装置用保護カバー。
【請求項９】
前記表示部目視用開口部の外周には、生体情報測定装置の表示部に合わせる表示部位置合わせ用マークを設けた、
請求項１から８のいずれか一つに記載の生体情報測定装置用保護カバー。
【請求項１０】
前記突出部には、センサの横幅に合致するセンサ位置合わせ用マークを設けた、
請求項１から９のいずれか一つに記載の生体情報測定装置用保護カバー。
【請求項１１】
前記上面部、前記下面部、および前記側面部の色を白色系とした、
請求項１から１０のいずれか一つに記載の生体情報測定装置用保護カバー。
【請求項１２】
前記側面部の、前記センサ挿入用開口部と反対側の端部に、吊下用リングを設けた、
請求項１から１１のいずれか一つに記載の生体情報測定装置用保護カバー。
【請求項１３】
請求項１から請求項１２のいずれか一項に記載の生体情報測定装置用保護カバーを装着し、
前記生体情報測定装置用保護カバーの表示部目視用開口部から挿入した本体ケースと、
前記本体ケースの上面で前記表示部目視用開口部に対応する部分に設けた表示部と、
前記本体ケースの側面で前記センサ挿入用開口部に対応する部分に設けたセンサ装着部と、
前記本体ケースの上面に設けた操作ボタンと、
を備えた生体情報測定装置。
【請求項１４】
前記操作ボタンは、前記本体の上面よりも上方に突出した、
請求項１３に記載の生体情報測定装置。
【請求項１５】
前記操作ボタンを複数個設けた、
請求項１４に記載の生体情報測定装置。
【手続補正２】
【補正対象書類名】明細書
【補正対象項目名】０００７
【補正方法】変更
【補正の内容】
【０００７】
本発明の生体情報測定装置用保護カバーは、上面部と、この上面部の下方に所定間隔をおいて対向させた下面部と、この下面部および上面部の間の外周側面を覆う側面部を備える。また、上面部、下面部、および側面部は弾性体で一体形成するとともに、この上面部の一方側には表示部目視用開口部を設け、上面部の表示部目視用開口部を設けた側に対する他方側の側面部には、センサ挿入用開口部を設ける。そして、このセンサ挿入用開口部には、このセンサ挿入用開口部の外周を覆うと共にこのセンサ挿入用開口部の外方に突出した筒状の突出部を設ける。
【手続補正書】
【提出日】平成28年2月8日(2016.2.8)
【手続補正１】
【補正対象書類名】特許請求の範囲
【補正対象項目名】請求項１３
【補正方法】変更
【補正の内容】
【請求項１３】
請求項１から請求項１２のいずれか一項に記載の生体情報測定装置用保護カバーと、
前記生体情報測定装置用保護カバーの内部に挿入されている本体ケースと、
前記本体ケースの上面で前記表示部目視用開口部に対応する部分に設けた表示部と、
前記本体ケースの側面で前記センサ挿入用開口部に対応する部分に設けたセンサ装着部と、
前記本体ケースの上面に設けた操作ボタンと、
を備えた生体情報測定装置。
【国際調査報告】
2014013681.tif 000009
2014013681.tif 000010
2014013681.tif 000011
2014013681.tif 000012